(57)【要約】【課題】画像取込機能付き表示装置において、表示画面上の物体からの反射光とそれ以外の光との２値判定を精度良く行う。【解決手段】画素を複数備えた画素領域１と、画素毎に設けられた光センサ素子２と、光センサ素子２で受けた光の強度に対応する画素ごとの多階調データに基づく判定対象値と閾値とを大小比較して２値判定するマイクロコンピュータ３とを備える。マイクロコンピュータ３において、予めレジスタに判定対象値と比較し２値判定するための閾値を設定しておき、光センサ素子２で撮像された２階調データから画素毎の多階調データを算出し、多階調データに基づく判定対象値と閾値とを大小比較する。これにより、物体からの反射光とそれ以外の光とを正確に２値判定することが可能となる。【選択図】図１
2006172106.tif 000002
【特許請求の範囲】
【請求項１】
複数の画素を備えた画素領域と、
画素毎に設けられた光センサ素子と、
前記光センサ素子で受けた光の強度に対応する画素毎の多階調データに基づく判定対象値と閾値とを大小比較して２値判定する判定手段と、
を有することを特徴とする画像取込機能付き表示装置。  
【請求項２】
前記判定対象値は、前記画素領域上の判定対象領域における画素の階調値であって、
前記閾値は、物体により反射した反射光が検出された領域における画素の階調値の平均値と、前記反射光以外の光が検出された領域における画素の階調値の平均値との間に位置する値であることを特徴とする請求項１記載の画像取込機能付き表示装置。
【請求項３】
前記判定対象値は、前記画素領域上の判定対象領域における画素の階調値の最大値を最小値で割ったコントラスト値であって、
前記閾値は、物体により反射した反射光が検出された領域における画素の階調値の最大値を最小値で割ったコントラスト値と、前記反射光以外の光が検出された領域における画素の階調値の最大値を最小値で割ったコントラスト値との間に位置する値であることを特徴とする請求項１記載の画像取込機能付き表示装置。
【請求項４】
前記画素領域上に保護板を備え、
前記保護板表面に物体が無い場合に、前記保護板で界面反射された反射光に対応する多階調データを白色に設定することを特徴とする請求項１乃至３記載の画像取込機能付き表示装置。
【発明の詳細な説明】
【技術分野】
【０００１】
本発明は、画素毎に光センサ素子を備え、光を媒介にして画面から情報の入力が可能な画像取込機能付き表示装置に関する。
【背景技術】
【０００２】
画素毎に光センサ素子を備え、各光センサ素子により画面から入力された光を検出することにより画像を取り込む機能を備えた表示装置としては、例えば特許文献１に記載の技術が知られている。
【０００３】
この種の表示装置は、画面に物体が近づいたときに、物体で反射した画面からの反射光を光センサ素子により受光して受光量に応じた電流を流し、この電流を検知することで、画面上における物体が位置する領域を認識することが可能となる。
【特許文献１】特開２００４−９３８９４号公報
【発明の開示】
【発明が解決しようとする課題】
【０００４】
しかしながら、従来の画像取込機能付き表示装置で得られる撮像画像は白又は黒の２階調画像であるため、表示画面上の物体からの反射光とそれ以外の光を２値判定する際の判定精度に限界がある。
【０００５】
本発明は、上記に鑑みてなされたものであり、画像取込機能付き表示装置において、表示画面上の物体からの反射光とそれ以外の光との２値判定を精度良く行うことを目的とする。
【課題を解決するための手段】
【０００６】
第１の本発明に係る画像取込機能付き表示装置は、複数の画素を備えた画素領域と、画素毎に設けられた光センサ素子と、光センサ素子で受けた光の強度に対応する画素毎の多階調データに基づく判定対象値と閾値とを大小比較して２値判定する判定手段と、を有することを特徴とする。
【０００７】
本発明にあっては、光センサ素子で受けた光の強度に対応する画素毎の多階調データを、表示画面上の物体からの反射光とそれ以外の光との２値判定に用いることで、正確な判定を行うための閾値を設定することが可能となり、判定精度を向上させることができる。
【０００８】
さらに、上記画像取込機能付き表示装置における判定対象値は、画素領域上の判定対象領域における画素の階調値であって、閾値は、物体により反射した反射光が検出された領域における画素の階調値の平均値と、反射光以外の光が検出された領域における画素の階調値の平均値との間に位置する値であることを特徴とする。
【０００９】
本発明にあっては、閾値を、予め物体により反射された反射光が検出された領域における画素の階調値の平均値と、予め迷光が検出された領域における画素の階調値の平均値との間に位置する値に予め設定することで、画素領域上の判定対象領域における物体からの反射光とそれ以外の光との２値判定の判定精度を向上させることができる。
【００１０】
また、上記画像取込機能付き表示装置における判定対象値は、画素領域上の判定対象領域における画素の階調値の最大値を最小値で割ったコントラスト値であって、閾値は、物体により反射した反射光が検出された領域における画素の階調値の最大値を最小値で割ったコントラスト値と、反射光以外の光が検出された領域における画素の階調値の最大値を最小値で割ったコントラスト値との間に位置する値であることを特徴とする。
【００１１】
本発明にあっては、閾値を、予め物体により反射した反射光が検出された領域における画素の階調値の最大値を最小値で割ったコントラスト値と、予め物体により反射した反射光以外の光が検出された領域における画素の階調値の最大値を最小値で割ったコントラスト値との間に位置する値に予め設定することで、画素領域上の判定対象領域における物体からの反射光とそれ以外の光との２値判定の判定精度を向上させることができる。
【００１２】
また、上記画像取込機能付き表示装置における画素領域上に保護板を備え、保護板表面に物体が無い場合に、保護板で界面反射された反射光に対応する多階調データを白色に設定することを特徴とする。
【００１３】
本発明にあっては、保護板表面に物体が無い領域においては、外光が強い場合でも弱い場合でも界面反射された反射光により白く撮像され、物体が有る領域においては、物体がバックライトから保護板の界面へ向かう光を吸収し反射光が減るので黒く撮像される。これにより、閾値を、物体が無い領域での高い階調値と物体が無い領域での低い階調値との間に位置する値に設定することが容易となる。
【発明の効果】
【００１４】
画像取込機能付き表示装置によれば、表示画面上の物体からの反射光とそれ以外の光との２値判定を精度良く行うことが可能となる。
【発明を実施するための最良の形態】
【００１５】
以下、本発明の実施の形態について図面を用いて説明する。
【００１６】
［第１の実施の形態］
図１は、第１の実施の形態に係る画像取り込み機能付き表示装置の概略構成を示すブロック図である。同図の表示装置は、複数の走査線と複数の信号線とが交差するように配線され、各交差部に配置された画素を複数備えた画素領域１と、画素毎に設けられた光センサ素子２と、光センサ素子２で受けた光の強度に対応する画素毎の多階調データに基づく判定対象値と閾値とを大小比較して２値判定するマイクロコンピュータ３とを備え、さらに、信号線を駆動する信号線駆動回路４と、走査線を駆動する走査線駆動回路５と、各光センサ素子２で撮像された２階調の撮像データをマイクロコンピュータ３へシリアル出力するシリアル信号出力回路６とを備える。ここではマイクロコンピュータ３は、バスを介してガラス製のアレイ基板７上の回路と接続される外部ＩＣを使用しているが、アレイ基板７上に形成してもよい。
【００１７】
画素領域１における各画素は、液晶層に電圧を印加するための画素電極と、走査線に供給されてきた走査信号の指示によりオン・オフすることで、信号線に供給されてきた映像信号を適切なタイミングで画素電極に印加するスイッチング素子と、外部からの光を受光して電流に変換する光センサ素子２とを備える。例えば、スイッチング素子は、薄膜トランジスタを使用する。
【００１８】
光センサ素子２は、例えば、ｐ領域、ｉ領域、ｎ領域を備えたゲート制御型のダイオードを使用する。光センサ素子２の感度は、光センサ素子２がゲート制御型のダイオードの場合には、ゲート電極の電圧を変えることで調整することができ、また光センサ素子２の幅と長さのうちの少なくとも一方を変えることでも調整することができる。
【００１９】
マイクロコンピュータ３は、判定対象値と比較し２値判定するための閾値を設定するレジスタを有する。そして、光センサ素子２で撮像された画素毎の２階調データから多階調データを算出し、多階調データに基づく判定対象値と閾値とを大小比較して２値判定を行う。
【００２０】
図２の断面図に示すように、本画像取り込み機能付き表示装置は、ガラス製のアレイ基板７とこれに対向配置された対向基板８との間隙に液晶層９を備えた液晶セル１０を有し、対向基板８の外側表面にはバックライト１１が配置される。また、アレイ基板７の外側表面には、表示画面を機械的ストレスから保護するために表面処理が施された保護板１２が配置される。
【００２１】
バックライト１１が出力した光は対向基板８、液晶層９、アレイ基板７、保護板１２を介して表示装置の外部へ出力されるが、一部の光は液晶セル１０と保護板１２の界面で反射される。なお、以下ではこの界面で反射される光を迷光と呼ぶ。そして、保護板１２の外側表面に物体である人の指１３が近接してきた場合に、指１３で反射した反射光は、迷光及び外部から照射される外光と共に液晶セル１０内のアレイ基板７上の光センサ素子２により受光される。光センサ素子２は受光量に応じた電流を流し、図１のマイクロコンピュータ３はデジタル信号処理により、各光センサ素子２において検出された２値データから多階調データを算出し、画面上における指１３が位置する領域を認識可能な撮像画像を得る。
【００２２】
このときの２階調データから多階調データを得るための構成及びデジタル信号処理について図３を用いて具体的に説明する。同図は、表示装置の表示画面の一部拡大領域における光センサ素子２の感度を示す図である。ここでは、感度が異なる９種類の光センサ素子２を３×３画素毎に魔方陣を構成するように配置した。同図の数字は光センサ素子２の感度を表している。数字に比例して一定の光に対して光センサ素子２に流れる光電流の値が大きくなる。マイクロコンピュータ３は、光センサ素子２が読み取った２値信号を、次のようにデジタル信号処理する。まず、注目画素自身を含めた周囲９画素で読み取られた２階調データ（それぞれは０か１）の平均値をもって当該注目画素の階調値とする。そして、これを全画素について行うことで、新たな多階調データを得る。
【００２３】
次に、画像取り込み機能付き表示装置の動作を実験結果に基づいて説明する。表示装置は画像取り込み時において、図４の第１の画像表示例に示すように画素領域１上に設けた３つの領域Ａ，Ｂ，Ｃに市松状の特殊パターンをそれぞれ表示させる。ここでは領域Ｂ上に物体である人の指１３を配置し撮像を行った。そして、マイクロコンピュータ３において、光センサ素子２で読み取った２値信号を注目画素自身も含んだ周囲９画素で読み取られた２階調データ（それぞれは０か１）の平均値を全画素に対して計算し、計算された多階調データから図５のような撮像画像を得た。撮像画像のうち、指１３を置いた領域Ｂは、指１３からの反射光として特殊パターンが検出されるが、指１３を置いていない領域Ａ、Ｃにも、液晶セル表面及び保護板表面の界面で反射された迷光及び外光により、特殊パターンが検出されている。
【００２４】
図６は、図５で得られた撮像画像を２５６階調の多階調データで示したグラフである。縦軸は階調値であり、横軸は図５の撮像画像の点線方向に沿ったＹ座標を表す。よって、マイクロコンピュータ３において、予め閾値をレジスタに設定していれば、物体からの反射光とそれ以外の光とを閾値により正確に２値判定することが可能となる。
【００２５】
この判定の手法について図７の第２の画像表示例を用いて具体的に説明する。まず、表示装置は画像取り込み時において同図に示すように画素領域１上に入力が期待される３つの判定対象領域ａ，ｂ，ｃに市松状の特殊パターンを表示させる。そして、同図に示すように判定領域ｂに指１３が近接すると、表示装置では各判定対象領域に入射した光を、光センサ素子２により受光量に応じた電流に変換する。続いて、図１のマイクロコンピュータ３におけるデジタル信号処理により、各光センサ素子２において検出された２値データから多階調データを算出し、そして各判定対象領域における多階調データである判定対象値と、予めレジスタに設定されている閾値とを大小比較することで、各判定対象領域に入射した光が指１３からの反射光かそれ以外の光かを正確に２値判定することが可能となる。これにより表示装置は、指１３が判定領域ｂに近接したことを認識可能となる。
【００２６】
したがって、第１の実施の形態によれば、マイクロコンピュータ３において、予めレジスタに判定対象値と比較し２値判定するための閾値を設定しておき、光センサ素子２で撮像された２階調データから画素毎の多階調データを算出し、多階調データに基づく判定対象値と閾値とを大小比較することで、表示画面上の物体からの反射光とそれ以外の光とを正確に２値判定することが可能となる。
【００２７】
［第２の実施の形態］
以下第２の実施の形態について説明する。第２の実施の形態の表示装置は、図１を用いて説明したものと基本的な構成は同様である。
【００２８】
第１の実施の形態と異なる点は、マイクロコンピュータ３において判定対象値と比較し２値判定するために予めレジスタに設定される閾値は、予め物体により反射された反射光が検出された領域における画素の階調値の平均値と、予め反射光以外の光が検出された領域における画素の階調値の平均値との間に位置する値とした点である。
【００２９】
図８は、第１の実施の形態における表示装置で撮像された撮像結果を多階調データで示したグラフと同一のグラフである。撮像結果より、物体により反射された反射光が検出された領域Ｂにおける画素の階調値の平均値は５５で、反射光以外の光が検出された領域Ａ，Ｃにおける画素の階調値の平均値は１９０である。このことから、１２５を階調値の平均値の閾値として設定すれば、判定対象領域における物体からの反射光と迷光とを判別できる。
【００３０】
この判定の手法について図７の画像表示例を用いて具体的に説明する。まず、表示装置は画像取り込み時において同図に示すように画素領域１上に入力が期待される３つの判定対象領域ａ，ｂ，ｃに市松状の特殊パターンを表示させる。そして、同図に示すように判定領域ｂに指１３が近接すると、表示装置では各判定対象領域に入射した光を、光センサ素子２により受光量に応じた電流に変換する。続いて、図１のマイクロコンピュータ３におけるデジタル信号処理により、各光センサ素子２において検出された２値データから多階調データを算出し、そして各判定対象領域における画素の階調値である判定対象値と、予めレジスタに設定されている階調値の平均値の閾値１２５とを大小比較することで、各判定対象領域に入射した光が指１３からの反射光かそれ以外の光かを２値判定することが可能となる。これにより表示装置は、指１３が判定領域ｂに近接したことを認識可能となる。
【００３１】
したがって、第２の実施の形態によれば、マイクロコンピュータ３において、予めレジスタに、閾値を予め物体により反射された反射光が検出された領域における画素の階調値の平均値と、予め迷光が検出された領域における画素の階調値の平均値との間に位置する値に設定することで、画素領域上の判定対象領域における物体からの反射光とそれ以外の光との２値判定の判定精度を向上させることができる。
【００３２】
なお、第２の実施の形態における閾値は、外光照度や表示装置の表面輝度によって変化するが、通常使用条件において行った実験結果から、階調値の平均値は１００以上、１５０以下とすることが適切であることが確認された。
【００３３】
［第３の実施の形態］
以下第３の実施の形態について説明する。第３の実施の形態の表示装置は、図１を用いて説明したものと基本的な構成は同様である。
【００３４】
第１の実施の形態と異なる点は、マイクロコンピュータ３において、２値判定を行う判定対象値を、画素領域１上の判定対象領域における画素の階調値の最大値を最小値で割ったコントラスト値とした点、判定対象値と比較し２値判定するために予めレジスタに設定される閾値を、予め物体により反射された反射光が検出された領域における画素の階調値の最大値を最小値で割ったコントラスト値と、予め反射光以外の光が検出された領域における画素の階調値の最大値を最小値で割ったコントラスト値との間に位置する値とした点である。
【００３５】
図９は、第１の実施の形態における表示装置で撮像された撮像結果を多階調データで示したグラフと同一のグラフである。撮像結果より、物体により反射された反射光が検出された領域Ｂにおける画素の階調値の最大値を最小値で割ったコントラスト値は約１．３であり、反射光以外の光が検出された領域Ａ，Ｃにおける画素の階調値の最大値を最小値で割ったコントラスト値は約３である。このことから、２をコントラスト値の閾値として設定すれば、判定対象領域における物体からの反射光と迷光とを判別できる。
【００３６】
この判定の手法について図７の画像表示例を用いて具体的に説明する。まず、表示装置は画像取り込み時において同図に示すように画素領域１上に入力が期待される３つの判定対象領域ａ，ｂ，ｃに市松状の特殊パターンを表示させる。そして、同図に示すように判定領域ｂに指１３が近接すると、表示装置では各判定対象領域に入射した光を、光センサ素子２により受光量に応じた電流に変換する。続いて、図１のマイクロコンピュータ３におけるデジタル信号処理により、各光センサ素子２において検出された２値データから多階調データを算出し、そして各判定対象領域における画素の階調値の最大値を最小値で割ったコントラスト値である判定対象値と、予めレジスタに設定されているコントラスト値の閾値２とを大小比較することで、各判定対象領域に入射した光が指１３からの反射光かそれ以外の光かを２値判定することが可能となる。これにより表示装置は、指１３が判定領域ｂに近接したことを認識可能となる。
【００３７】
したがって、第３の実施の形態によれば、マイクロコンピュータ３において、予めレジスタに、閾値を予め物体により反射した反射光が検出された領域における画素の階調値の最大値を最小値で割ったコントラスト値と、予め迷光が検出された領域における画素の階調値の最大値を最小値で割ったコントラスト値との間に位置する値に設定することで、画素領域上の判定対象領域における物体からの反射光とそれ以外の光との２値判定の判定精度を向上させることができる。
【００３８】
なお、第３の実施の形態における閾値は、外光照度や、表示装置の表面輝度によって変化するが、通常使用条件において行った実験結果から、コントラスト値は１．５以上、３．０以下とすることが適切であることが確認された。
【００３９】
［第４の実施の形態］
以下第４の実施の形態について説明する。第４の実施の形態の表示装置は、図１を用いて説明したものと基本的な構成は同様である。
【００４０】
第１の実施の形態と異なる点は、画像取り込み時の撮像データを多階調データにした後、２値化を行うための閾値の設定に関する点である。保護板表面に物体が無い場合に、保護板で界面反射された反射光に対応する画素毎の多階調データを白色として読み取り、保護板表面に物体がある部分の多階調データを黒色として読み取るように設定する。保護板で界面反射された反射光はそれほど強くはないが、例えばセンサの露光時間やプリチャージ電圧等のセンサの動作条件を調節することで、保護板の反射光を白としてとらえやすくなる。例えばある露光時間で読み取りを行った結果、ある暗い階調画像が得られた場合には、センサの露光時間を長くして読み取りを行うことで、階調画像が明るめにシフトし保護板の反射光を白としてとらえやすくなる。
【００４１】
このような構成にしたことで、表示装置の画像取り込み時において、図１０の断面図に示すように保護板１２表面に指１３が近接した場合、保護板１２表面に指１３が無い領域は、外光が強い場合でも弱い場合でも界面反射された迷光及び外光が液晶セル１０に入射したときには表示画面は白くなる。一方、保護板１２表面に指１３が有る領域は、指１３がバックライト１１から保護板１２の界面へ向かう光を吸収するので表示画面は黒くなる。
【００４２】
したがって読み取り画像の黒い部分を検出することにより指示座標を読み取ることができる。
【００４３】
図１１は、図１０の表示装置で撮像される撮像結果を２５６階調の多階調データで示した図である。保護板１２表面に指１３が無い領域は、外光が強い場合でも弱い場合でも界面反射された迷光及び外光を受光した領域は、白く撮像されるので階調値は高くなる。一方、指１３がある領域は、指１３がバックライト１１から保護板１２の界面へ向かう光を吸収し反射光が減るので、黒く撮像され階調値は低くなる。よって、予めレジスタに、閾値を指が無い領域での高い階調値と指が無い領域での低い階調値との間に位置する値に設定することが容易となり、物体により反射光が吸収される領域とそうでない領域とを閾値により正確に２値判定することが可能となる。
【００４４】
この判定の手法について図７の画像表示例を用いて具体的に説明する。まず、表示装置は画像取り込み時において同図に示すように画素領域１上に入力が期待される３つの判定対象領域ａ，ｂ，ｃにスイッチ等のパターンを表示させる。そして、同図に示すように判定領域ｂに指１３が近接すると、表示装置では各判定対象領域に入射した光を、光センサ素子２により受光量に応じた電流に変換する。続いて、図１のマイクロコンピュータ３におけるデジタル信号処理により、各光センサ素子２において検出された２値データから多階調データを算出し、そして各判定対象領域における画素の階調値である判定対象値と、予めレジスタに設定されている閾値とを大小比較し、前記閾値より低階調（暗い）部分（指示部）と、前記閾値より高階調（明るい）部分（非表示部）とに分けることで、各判定対象領域に入射した光が指１３からの反射光かそれ以外の光かどうかを２値判定することが可能となる。これにより表示装置は、指１３が判定領域ｂに近接したことを認識可能となる。
【００４５】
ここで、予めレジスタに設定される閾値は、第２の実施の形態で示したように、領域毎の階調値の平均値を用いて設定してもよいし、第３の実施の形態で示したように、領域毎の階調値の最大値を最小値で割ったコントラスト値を用いて設定してもよい。
【００４６】
したがって、第４の実施の形態によれば、画素領域上に保護板を備え、保護板表面に物体が無い場合に、保護板で界面反射された反射光に対応する多階調データを白色に設定することで、保護板表面に物体が無い領域では、外光が強い場合でも弱い場合でも界面反射された反射光により白く撮像され階調値は高くなり、物体がある領域では、物体がバックライトから保護板の界面へ向かう光を吸収し反射光が減るので黒く撮像され階調値は低くなることから、予め閾値を物体が無い領域での高い階調値と物体が無い領域での低い階調値との間に位置する値に設定することが容易となり、物体により反射光が吸収される領域とそうでない領域とを閾値により正確に２値判定することが可能となる。
【００４７】
なお、第４の実施の形態においては、表示装置の液晶層に駆動電圧を印加しない状態で、表示画面が高輝度表示となるノーマリホワイトモードを想定したが、これに限られるものではない。例えばノーマリブラックモードであっても、画像取り込み時において、アレイ基板７上の信号線駆動回路から全信号線に対して供給するプリチャージ電圧を高めに設定することで、保護板で界面反射された反射光による表示画面を白色に設定しておくことができる。
【００４８】
また、第４の実施の形態では、画像取り込み時において、保護板表面に物体が無い場合に、保護板で界面反射された反射光に対応する画素毎の多階調データを白に設定しておくために全信号線に対して供給するプリチャージ電圧を調整したが、これに限られるものではない。例えば、保護板に屈折率の高いアクリル板を使用しても良い。これにより保護板での界面反射による反射光が多くなるので、表示画面を白く設定することが可能となる。
【００４９】
上述の各実施の形態では、光センサ素子により検出された２値データから多階調データを得るための構成として、表示装置の画素領域において感度が異なる９種類の光センサ素子を用いて、３×３画素毎に魔方陣を構成したが、これに限られるものではない。光センサ素子で検出された２値データを多階調データに拡張可能な構成であれば、得られた多階調データに対して閾値を設定することで、表示画面上における物体からの反射光の2値判定を正確に行うことが可能である。
【図面の簡単な説明】
【００５０】
【図１】第１の実施の形態に係る画像取り込み機能付き表示装置の概略構成を示すブロック図である。
【図２】第１の実施の形態に係る画像取り込み機能付き表示装置の断面図である。
【図３】第１の実施の形態に係る画像取り込み機能付き表示装置の表示画面の一部拡大領域における光センサ素子の感度を示す図
【図４】第１の実施の形態に係る画像取り込み機能付き表示装置の画像取り込み時における第１の画像表示例を示した平面図である。
【図５】第１の実施の形態に係る画像取り込み機能付き表示装置の画像取り込み時における第１の画像表示例を撮像した撮像結果を示した図である。
【図６】第１の実施の形態に係る画像取り込み機能付き表示装置で撮像された撮像結果を多階調データで示したグラフである。
【図７】第１の実施の形態に係る画像取り込み機能付き表示装置の画像取り込み時における第２の画像表示例を示した平面図である。
【図８】第２の実施の形態に係る画像取り込み機能付き表示装置で撮像された撮像結果を多階調データで示したグラフである。
【図９】第３の実施の形態に係る画像取り込み機能付き表示装置で撮像された撮像結果を多階調データで示したグラフである。
【図１０】第４の実施の形態に係る画像取り込み機能付き表示装置の断面図である。
【図１１】第４の実施の形態における画像取り込み機能付き表示装置で撮像された撮像結果を多階調データで示すグラフである。
【符号の説明】
【００５１】
１…画素領域
２…光センサ素子
３…マイクロコンピュータ
４…信号線駆動回路
５…走査線駆動回路
６…シリアル信号出力回路
７…アレイ基板
８…対向基板
９…液晶層
１０…液晶セル
１１…バックライト
１２…保護板
１３…人の指
【図１】
2006172106.tif 000003
【図２】
2006172106.tif 000004
【図３】
2006172106.tif 000005
【図４】
2006172106.tif 000006
【図５】
2006172106.tif 000007
【図６】
2006172106.tif 000008
【図７】
2006172106.tif 000009
【図８】
2006172106.tif 000010
【図９】
2006172106.tif 000011
【図１０】
2006172106.tif 000012
【図１１】
2006172106.tif 000013